(57)【要約】【課題】設定内容の変更をその上位の項目の選択からやり直したい場合でも、画面の切り替えがなされるのを抑制することのできる車両用設定装置の提供。【解決手段】車両に設定される項目を指示する複数の丸アイコン２３，２４，２５を含んだ画像を機能選択領域１２が表示する。選択箇所移動部を操作して丸アイコン２３〜２５のいずれかが選択され、さらに、設定内容変更部が操作されると、選択されている丸アイコン（図５の例では丸アイコン２３）が指示する項目に対応するパラメータ２７が上下にスクロールされる。これによって、所望のパラメータ２７Ａを、設定すべきパラメータ（設定内容）として決定することができる。【選択図】図５
2015162212.tif 000002
【特許請求の範囲】
【請求項１】
車両に搭載され、当該車両に係る設定を行う車両用設定装置であって、
前記車両に設定される項目を指示する複数の指示部（２３，２４，２５）を含んだ画像を表示する第１画像表示部（１２）と、
前記第１画像表示部に表示された画像上での選択箇所を操作者の操作に応じて移動させる選択箇所移動部（３１）と、
前記選択箇所が前記指示部のいずれか１つに配設されているとき、その指示部が指示する項目に対応する設定内容を含んだ画像を表示可能な第２画像表示部（１３）と、
前記選択箇所移動部と一体に構成され、前記選択箇所が前記指示部のいずれか１つに配設されているとき、前記第２画像表示部に表示される前記設定内容を含んだ画像を操作者の操作に応じて変化させることによって、前記指示部が指示する項目に係る設定内容を変更する設定内容変更部（３１）と、
を備えたことを特徴とする車両用設定装置。
【請求項２】
前記第１画像表示部及び前記第２画像表示部は、１つの画面（１１）を前記第１画像表示部に対応する領域（１２）と前記第２画像表示部に対応する領域（１３）とに分割することによって構成されていることを特徴とする請求項１に記載の車両用設定装置。
【請求項３】
前記選択箇所移動部と前記設定内容変更部とが同一部品によって構成されていることを特徴とする請求項１又は２に記載の車両用設定装置。
【請求項４】
前記部品に対する前記選択箇所移動部としての操作と、前記部品に対する設定内容変更部としての操作とは、操作態様が異なることを特徴とする請求項３に記載の車両用設定装置。
【請求項５】
前記部品に対する前記選択箇所移動部としての操作は、前記部品を所定の平面に沿って交差する２軸方向に移動させる操作であり、前記部品に対する設定内容変更部としての操作は、前記部品を所定軸回りに回転させる操作であることを特徴とする請求項４に記載の車両用設定装置。
【請求項６】
前記選択箇所が前記指示部のいずれか１つに配設され、第２画像表示部がその指示部に対応する設定内容を含んだ画像を表示しているときに、前記選択箇所移動部によって前記選択箇所が移動されて他の前記指示部に配設されたとき、前記第２画像表示部は、前記設定内容変更部の操作に応じて前記他の指示部に対応する設定内容を含んだ画像を表示し、
前記第２画像表示部が前記他の指示部に対応する設定内容を含んだ画像を表示しているとき、前記設定内容変更部は、前記第２画像表示部に表示される前記設定内容を含んだ画像を操作者の操作に応じて変化させることによって、前記他の指示部が指示する項目に係る設定内容を変更することを特徴とする請求項１〜５のいずれか１項に記載の車両用設定装置。
【発明の詳細な説明】
【技術分野】
【０００１】
本発明は、車両に搭載され、当該車両に係る設定を行う車両用設定装置に関し、詳しくは、画像表示部を用いて前記設定を行う車両用設定装置に関する。
【背景技術】
【０００２】
従来、画像表示部を用いて車両における設定を行う車両用設定装置が種々提案されている。例えば、カーナビゲーション装置においてどの施設の情報を表示するかを設定する装置では、画面を左右に分割して、左側の画面に施設の利用目的を、右側の画面に具体的な施設の分類を、それぞれ表示することが提案されている（例えば、特許文献１参照。）。この装置では、施設を分類した上位の項目から順次絞り込んでいき、最終的には具体的な個別の施設に関する情報を画面に表示することができる。
【先行技術文献】
【特許文献】
【０００３】
【特許文献１】特開平１１−１４２１７１号公報
【発明の概要】
【発明が解決しようとする課題】
【０００４】
また、このように項目に分類された設定内容を選択する方法は、徐々に絞り込みを行う場合に限定されない。例えば、車内で再生される楽曲が設定される場合、曲名，アルバム名，アーティスト名といった項目が先ず選択され、その後に具体的な個別の曲名，アルバム名，又はアーティスト名が選択されることも考えられる。この場合、大きい集合から徐々に絞り込みを行うというよりは、寧ろ、上位の項目で検索方法（又は分類方法）が選択される。
【０００５】
ところが、引用文献１に記載の装置では、設定項目の階層毎に画面のレイアウトが異なり、上位の項目に戻ってその項目の選択からやり直す場合、「戻る」キーを操作して、表示画面を１段階前の表示画面に戻す必要がある。このため、引用文献１に記載の装置では全体的な画面の切り替えが頻繁に行われ、作業性の向上に改善の余地があった。
【０００６】
そこで、本発明は、設定内容の変更をその上位の項目の選択からやり直したい場合でも、画面の切り替えがなされるのを抑制することのできる車両用設定装置の提供を目的としてなされた。
【課題を解決するための手段】
【０００７】
前記目的を達するためになされた本発明は、車両に搭載され、当該車両に係る設定を行う車両用設定装置であって、第１画像表示部と第２画像表示部とを備えている。第１画像表示部は、車両に設定される項目を指示する複数の指示部を含んだ画像を表示する。
【０００８】
すると、前記車室内に設けられた選択箇所移動部は、第１画像表示部に表示された画像上での選択箇所を操作者の操作に応じて移動させる。そして、前記選択箇所が前記指示部のいずれか１つに配設されているとき、第２画像表示部は、その指示部が指示する項目に対応する設定内容を含んだ画像を表示可能となる。
【０００９】
前記選択箇所移動部には、設定内容変更部が一体に構成されている。設定内容変更部は、前記選択箇所が前記指示部のいずれか１つに配設されているとき、前記第２画像表示部に表示される前記設定内容を含んだ画像を操作者の操作に応じて変化させることによって
、前記指示部が指示する項目に係る設定内容を変更する。
【００１０】
ここで、設定内容変更部は、前記第１画像表示部とは異なる前記第２画像表示部に表示される画像を、操作者の操作に応じて変化させる。このため、設定内容の変更をその上位の項目の選択からやり直したい場合、操作者は、表示画面を１段階戻すなどしなくてもよく、第１画像表示部に表示された画像上での選択箇所を、選択箇所移動部を操作して他の指示部に移動させればよい。
【００１１】
このため、本発明では、設定内容の変更をその上位の項目の選択からやり直したい場合でも、画面の切り替えがなされるのを抑制することができる。しかも、項目を変更するための選択箇所移動部と設定内容を変更するための設定内容変更部とは、一体に構成されているので、持ち替えの必要がなく操作性がよい。従って、本発明では、車両に係る設定作業の作業性を良好に向上させることができる。
【図面の簡単な説明】
【００１２】
【図１】本発明が適用された車両の要部構成を表す模式図である。
【図２】その車両における操作デバイスの構成を表す斜視図である。
【図３】その車両における制御系の構成を表すブロック図である。
【図４】その制御系が設定する項目及びパラメータの階層構造を表す説明図である。
【図５】その制御系が表示装置に表示する画面の一例を表す説明図である。
【図６】その制御系が実行する処理を表すフローチャートである。
【図７】その制御系が表示装置に表示する画像の他の例を表す説明図である。
【発明を実施するための形態】
【００１３】
［実施形態の構成］
次に、本発明の実施形態を図面と共に説明する。図１に示すように、本実施形態の車両用設定装置は、車両１の車室３の内部に設けられた表示装置１０と操作デバイス３０と車載制御装置５０とを備えている。表示装置１０は、ダッシュボード９の上面又は前面に設けられて、ドライバＤに各種情報を表示する。操作デバイス３０は、コンソール３４の上面に設けられた被取付面３５に取り付けられ、次のように構成されている。
【００１４】
図２に示すように、操作デバイス３０は、操作ノブ３１とタッチパッド３２と決定スイッチ３３とを、各種入力のために備えている。なお、以下の説明において、ドライバＤから見た前後左右上下の方向を装置の前後左右上下の方向として説明する。また、図２に示すように、右方向を＋Ｘ、左方向を−Ｘ、前方向を＋Ｙ、後方向を−Ｙ、上方向を＋Ｚ、下方向を−Ｚとした３次元の直交座標系を用いて説明する場合がある。被取付面３５のうち操作ノブ３１を支持する部分は、ＸＹ平面と平行な平面状に構成されている。
【００１５】
操作ノブ３１は、Ｚ軸と平行な中心軸を有する円板状に構成され、その中心軸回りに回転可能に構成されている。また、操作ノブ３１は、被取付面３５上をＸＹ方向（すなわち前記回転の軸に直交する２軸方向）にスライド可能に構成されている。
【００１６】
また、操作デバイス３０は、被取付面３５における操作ノブ３１を支持する部分よりも後方から操作ノブ３１の上方まで延出する延出部３７を備えており、その延出部３７の上面３７Ａに、タッチパッド３２と決定スイッチ３３とが設けられている。なお、決定スイッチ３３は、タッチパッド３２の前方に設けられている。延出部３７及び操作ノブ３１は、延出部３７に上方から掌を当てて、親指と人差し指とで操作ノブ３１を左右両側から摘むことができる程度の大きさに構成されている。
【００１７】
図３に示すように、表示装置１０と決定スイッチ３３とは、車載制御装置５０に電気的
に接続されている。車載制御装置５０は、ＣＰＵ，ＲＯＭ，ＲＡＭを備えたマイクロコンピュータとして構成され、各種演算を行う演算部５１と、各種通信を行う通信部５３と、表示装置１０に表示すべき画像を描画する画像描画部５５とを備えている。また、操作デバイス３０は、操作ノブ３１のＸＹ方向の位置座標を検出する位置検出センサ５７と、操作ノブ３１のＺ軸回りの回転角度を検出する回転角度センサ５９とを備えており、それらも車載制御装置５０に電気的に接続されている。なお、位置検出センサ５７は、前記位置座標の検出専用に設けられたセンサでなくてもよく、操作ノブ３１に操作反力を付与するために設けられたモータ等の周知のアクチュエータを利用して構成されてもよい。
【００１８】
さらに、車載制御装置５０には、操作デバイス３０を用いた各種設定がなされる機器として、オーディオ機器６１，エアコン６３，カーナビゲーション装置６５等が接続されている。なお、表示装置１０も、カーナビゲーション装置の一部として機能するが、図３に示すカーナビゲーション装置６５のブロック（ナビゲーション）は、経路案内情報等を作成する装置本体を表している。また、車載制御装置５０には、各種通信を行う通信装置６７や、その他の車両機器６９も接続されている。
【００１９】
［実施形態における処理］
操作デバイス３０を用いた設定がなされる項目及びパラメータ（設定内容の一例）は、図４に示すような階層構造を有している。すなわち、この階層構造は、エアコン機能、オーディオ機能、ナビゲーション機能、…といった大項目に分かれ、その大項目が更に小項目に分かれている。例えば、エアコン機能は、温度設定、風量設定、…といった小項目に分かれている。また、オーディオ機能は、アーティスト選択、アルバム選択、曲名選択、ボリューム操作といった小項目に分かれている。そして、例えばアルバム選択の項目が選択された場合、アルバムＡ，アルバムＢ，アルバムＣといった具体的なアルバム名をパラメータとして選択することが可能となる。図４では図示省略したが、曲名選択の項目が選択された場合も同様で、曲名Ａ，曲名Ｂ，曲名Ｃといった具体的な曲名をパラメータとして選択することが可能となる。
【００２０】
図５は、前記大項目のうちのオーディオ機能に対応して、車載制御装置５０が表示装置１０の表示面１１に表示する画面の一例を表している。なお、この画面は、左側の機能選択領域１２と、右側の変更領域１３とに、左右に２分割されている。また、この画面は、機能選択領域１２の上端に表示された複数のタブ２１のうち、オーディオ機能に対応する「Ａｕｄｉｏ」が選択された場合に表示される。なお、タブ２１の選択方法は、周知の種々の方法を適用することができる。機能選択領域１２の下方には、録音，ランダム再生，リピート再生等を指示するための四角アイコン２２が表示される。
【００２１】
また、機能選択領域１２の左端には、曲名選択の項目を指示するための丸アイコン２３、アルバム選択の項目を指示するための丸アイコン２４、及び、アーティスト選択の項目を指示するための丸アイコン２５が、上下に並べて表示される。各丸アイコン２３〜２５の右隣には、その丸アイコン２３〜２５が指示する内容を文字で表示した文字表示部２６がそれぞれ表示され、現在選択されている丸アイコン（図５の例では丸アイコン２３）に対応した内容を表示した文字表示部２６Ａが強調表示される。また、図５に示すように、現在選択されている丸アイコン２３も強調表示される。
【００２２】
変更領域１３には、現在選択されている項目（すなわち、強調表示された丸アイコン２３〜２５のいずれかが指示する項目）に係るパラメータ２７が、上下方向に並べて表示される。曲名選択の項目を指示する丸アイコン２３が選択されているときは、図５に示すように、パラメータ２７として、曲名が上下に並べて表示される。そして、現在選択されているパラメータ２７Ａ（図５の例では「曲名Ｃ」）が強調表示される。
【００２３】
以下、このような画面が表示されたときに車載制御装置５０が実行する処理について、図６のフローチャートを用いて説明する。なお、図６に示す処理は、車載制御装置５０のＣＰＵにより、同じく車載制御装置５０のＲＯＭに記憶されたプログラムに基づいて、所定時間毎に繰り返し実行される。
【００２４】
図６に示すように、この処理では、先ず、Ｓ１（Ｓはステップを表す：以下同様）にて、位置検出センサ５７が検出している操作ノブ３１の位置が取得される。続くＳ２では、Ｓ１にて取得されたセンサ値、すなわち操作ノブ３１の位置に基づいて、選択対象のアイコンが変更される。すなわち、Ｓ２の処理により、ドライバＤは、操作ノブ３１をＸＹ方向に移動させることにより、その操作ノブ３１のＸＹ方向の位置に応じた丸アイコン２３〜２５又は四角アイコン２２のうちの任意のものを、選択して強調表示させることができる。なお、前回の処理時から操作ノブ３１がＸＹ方向に移動されていない場合は、このＳ２では選択対象アイコンの変更がなされない。
【００２５】
続くＳ３では、後述のパラメータ変更状態が設定されているか否かが判断される。車両１の始動直後や、図５の画面が表示された直後などの初期状態では、パラメータ変更状態が設定されていないので（Ｓ３：Ｎ）、処理はＳ４へ移行する。Ｓ４では、決定スイッチ３３が押下されたか否かが判断される。決定スイッチ３３が押下されていない場合は（Ｓ４：Ｎ）、処理はＳ５へ移行し、決定スイッチ３３が押下された場合は（Ｓ４：Ｙ）、処理はＳ６へ移行する。Ｓ５では、回転角度センサ５９の検出信号に基づいて、操作ノブ３１が回転操作されているか否かが判断される。操作ノブ３１が回転操作されている場合は（Ｓ５：Ｙ）、処理はＳ７へ移行し、操作ノブ３１が回転操作されていない場合は（Ｓ５：Ｎ）、処理はそのまま一旦終了する。
【００２６】
前述の初期状態では、操作ノブ３１の操作や決定スイッチ３３の押下もなされていないので、Ｓ４，Ｓ５にて否定判断がなされて処理がそのまま終了する。そして、ドライバＤが操作ノブ３１をＸＹ方向に移動させて所望の丸アイコン２３〜２５又は四角アイコン２２のうちいずれかを選択した後、決定スイッチ３３を押下すると（Ｓ４：Ｙ）、Ｓ６にて、選択対象アイコンは丸アイコンであるか否かが判断される。選択対象アイコンが丸アイコンでない場合は（Ｓ６：Ｎ）、選択対象アイコンは四角アイコン２２のうちのいずれかであるので、処理はＳ８へ移行し、選択対象の四角アイコン２２が決定される。この処理により、ドライバは、録音，ランダム再生，リピート再生等を、オーディオ機器６１に対して設定することができる。
【００２７】
一方、選択対象アイコンが丸アイコンである場合は（Ｓ６：Ｙ）、処理はＳ１０へ移行する。Ｓ１０では、選択対象アイコンについてパラメータ変更状態が設定され、処理が一旦終了する。すると、次回の処理では、Ｓ３にて肯定判断がなされて、処理はＳ１１へ移行する。また、Ｓ５にて操作ノブ３１が回転操作されたと判断され（Ｓ５：Ｙ）、処理がＳ７へ移行すると、選択対象アイコンが丸アイコンであるか否かが判断される。選択対象アイコンが丸アイコンでない場合は（Ｓ７：Ｎ）、処理はそのまま一旦終了し、選択対象アイコンが丸アイコンである場合は（Ｓ７：Ｙ）、処理は前述のＳ１０へ移行する。
【００２８】
すなわち、選択対象アイコンが丸アイコン２３〜２５のいずれかとされて決定スイッチ３３が押下された場合（Ｓ４：Ｙ、Ｓ６：Ｙ）、その選択対象アイコンについてパラメータ変更状態が設定される（Ｓ１０）。同様に、選択対象アイコンが丸アイコン２３〜２５のいずれかとされて、決定スイッチ３３が押下されることなく操作ノブ３１が回転された場合も（Ｓ４：Ｎ、Ｓ５：Ｙ、Ｓ７：Ｙ）、その選択対象アイコンについてパラメータ変更状態が設定される（Ｓ１０）。なお、Ｓ１０にてパラメータ変更状態が設定されると、変更領域１３に表示されるパラメータ２７も、選択対象の丸アイコンに対応したものとされる。例えば、選択対象アイコンが丸アイコン２５である場合は、変更領域１３には、パ
ラメータ２７としてアーティスト名が表示される。
【００２９】
パラメータ変更状態となって（Ｓ３：Ｙ）、処理がＳ１１へ移行すると、前回の処理から選択対象アイコンが変更されたか否かが判断される。選択対象アイコンが変更されていない場合は（Ｓ１１：Ｎ）、処理はＳ１２へ移行する。Ｓ１２では、回転角度センサ５９のセンサ値が取得され、Ｓ１３にて、操作ノブ３１の回転操作中であるか否かが判断される。操作ノブ３１の回転操作中である場合は（Ｓ１３：Ｙ）、Ｓ１４にて、パラメータ２７が操作ノブ３１の回転方向に応じてスクロールされることによって選択対象のパラメータ２７Ａが変更された後、処理が一旦終了する。
【００３０】
また、Ｓ１３にて操作ノブ３１の回転操作中でないと判断された場合は（Ｓ１３：Ｎ）、処理はＳ１５へ移行し、前回の回転操作から予め設定された一定時間が経過しているか否かが判断される。一定時間が経過していない場合は（Ｓ１５：Ｎ）、処理はＳ１７へ移行する。Ｓ１７では、決定スイッチ３３が押下されたか否かが判断される。決定スイッチ３３が押下されていない場合は（Ｓ１７：Ｎ）、処理はそのまま一旦終了し、決定スイッチ３３が押下された場合は（Ｓ１７：Ｙ）、処理はＳ１８へ移行する。Ｓ１８では、その時点で選択されているパラメータ２７Ａが、オーディオ機器６１に設定すべきパラメータとして決定されて、処理が一旦終了する。
【００３１】
このため、パラメータ選択状態では（Ｓ３：Ｙ）、ドライバＤは、操作ノブ３１を回転させて所望のパラメータ２７Ａを選択した後（Ｓ１４）、決定スイッチ３３を押下することによって（Ｓ１７：Ｙ）、そのパラメータ２７Ａを設定すべきパラメータとして決定することができる（Ｓ１８）。
【００３２】
また、操作ノブ３１の回転操作が中断されてから（Ｓ１３：Ｎ）、前記一定時間が経過したときは（Ｓ１５：Ｙ）、Ｓ１９にてパラメータ変更状態が解除された後、処理が一旦終了する。すなわち、ドライバＤがパラメータ２７の変更作業を途中で中止したときは、新たなパラメータが設定すべきパラメータとして決定されることなく、パラメータ変更状態が解除される。
【００３３】
また、前述のＳ１１にて選択対象アイコンが変更されたと判断された場合も（Ｓ１１：Ｙ）、処理はＳ１９へ移行する。このため、パラメータ変更状態が設定されているときでも（Ｓ３：Ｙ）、ドライバＤが選択対象アイコンを変更しようとして操作ノブ３１をＸＹ方向に移動させると（Ｓ１１：Ｙ）、自動的にパラメータ変更状態が解除される（Ｓ１９）。このため、ドライバＤが他の丸アイコンを選択してその丸アイコンについてパラメータ変更状態を設定するのも容易になる。
【００３４】
また、前記処理は、オーディオ機能以外の機能に対しても同様に実行される。例えば、図７は、前記大項目のうちのエアコン機能に対応して車載制御装置５０が表示装置１０の表示面１１に表示する画面の一例を表している。この画面も、左側の機能選択領域１２と、右側の変更領域１３とに分割されている。また、この画面は、機能選択領域１２の上端に表示された複数のタブ２１のうち、エアコン機能に対応する「Ｃｌｉｍａｔｅ」が選択された場合に表示される。機能選択領域１２の下方には、自動，オフ等を指示するための四角アイコン２２が表示される。
【００３５】
また、四角アイコン２２の上方には、運転席の温度設定を指示するための丸アイコン２３、助手席の温度設定を指示するための丸アイコン２４、及び、風量の設定を指示するための丸アイコン２５が、左右に並べて表示される。図７の例では、丸アイコン２３が現在選択され、変更領域１３には、運転席（Ｄｒｉｖｅｒ席）に設定すべき温度がパラメータ２７として上下に並べて表示される。このため、エアコン機能に関する設定も、図６に示
した処理によって良好に行うことができる。
【００３６】
［本実施形態の効果及びその変形例］
このように、本実施形態の車両用設定装置では、パラメータ２７の変更を丸アイコン２３〜２５の選択からやり直したい場合でも、操作ノブ３１がＸＹ方向に移動されて選択対象アイコンが変更されるだけでよく、全面的な画面の切り替えがなされる必要がない。このため、車両１に係る設定作業の作業性を良好に向上させることができる。しかも、丸アイコン２３〜２５を選択するための機能選択領域１２とパラメータ２７を変更するための変更領域１３とは１つの表示面１１を分割することによって構成されているので、視認性がよく、前記作業性を一層向上させることができる。
【００３７】
また、ドライバＤが操作ノブ３１をＸＹ方向に移動させて選択対象の丸アイコンを変更すれば（Ｓ１１：Ｙ）、その変更後の丸アイコンに対応する変更領域１３が表示されて当該丸アイコンについてパラメータ変更状態を設定することが可能となる（Ｓ１０）。そのパラメータ変更状態では、変更後の丸アイコンに係るパラメータが設定可能である。また、パラメータ変更状態が設定されている間、操作ノブ３１がＸＹ方向に移動されるまで機能選択領域１２の表示は選択対象アイコン（選択箇所）も含めて変化しない。このため、選択対象アイコンの変更のために操作ノブ３１がＸＹ方向に移動されると、それまで選択されていた丸アイコンの位置から選択対象アイコンが変化する。従って、本実施形態では、前記作業性をより一層向上させることができる。また、選択されたパラメータ２７Ａを設定すべきパラメータとして決定せずにキャンセルしたい場合は、そのまま一定時間放置すればよいので（Ｓ１５：Ｙ）、パラメータ変更をキャンセルする際の作業性も向上させることができる。
【００３８】
また、選択対象アイコンが変更されるためには操作ノブ３１がＸＹ方向に移動されればよく、パラメータが変更されるためには操作ノブ３１が回転されればよい。すなわち、同一部品に対する操作態様を異ならせることによって選択対象アイコンの変更とパラメータの変更とが実行できるので、前記作業性を一層向上させることができる。また、その操作態様の違いも、一方はＸＹ平面に沿って２軸方向に移動させる操作で、もう一方はＺ軸回りに回転させる操作であるため、両方の操作を間違える懸念が少なく、前記作業性をより一層向上させることができる。
【００３９】
また、選択対象アイコンを変更するための操作が、選択箇所を２軸方向に移動させる操作であるため、選択対象アイコンの配置の自由度が向上する。このため、アイコンの配置レイアウトを工夫することによって一層良好に前記操作性を向上させることができる。すなわち、特開２０１２−１２３４７５号公報に記載の装置のように上位のアイコンを左側に上下方向１列に配置する場合、多くの選択要素を配置できないといった課題が生じるが、本実施形態のように選択箇所が２軸方向に移動可能な場合は、そのような課題が生じるのを抑制することができる。
【００４０】
なお、前記実施形態において、丸アイコン２３〜２５が指示部に、機能選択領域１２が第１画像表示部に、操作ノブ３１が選択箇所移動部及び設定内容変更部に、変更領域１３が第２画像表示部に、それぞれ相当する。
【００４１】
また、本発明は前記実施形態に何ら限定されるものではなく、本発明の要旨を逸脱しない範囲で種々の形態で実施することができる。例えば、第１画像表示部と第２画像表示部とは異なる別体の表示装置であってもよい。また、第２画像表示部は、設定内容としての数字（例えば設定温度）のみが表示されるものであってもよい。
【００４２】
また、選択箇所移動部及び設定内容変更部の構成としても、種々の構成を採用すること
ができる。例えば、選択箇所移動部としては、操作ノブ３１がＸＹ方向に操作される代わりに、タッチパッド３２が操作されてもよく、上下左右方向に操作可能なジョイスティックが操作デバイス３０に取り付けられて操作されてもよい。また、設定内容変更部としては、操作ノブ３１が回転される代わりにタッチパッド３２が前後方向になぞられることによってパラメータ２７がスクロールされてもよい。
【００４３】
操作ノブ３１のように捻ることのできる操作部が設定内容変更部として使用された場合、手が離れると初期位置まで戻るタイプの操作部が採用されてもよく、回転軸がＸＹ平面（操作部が移動可能な２軸を含む面）と斜めに交差してもよい。さらに、前記実施形態では、操作ノブ３１がＸＹ方向に移動されることによって強調表示される選択対象アイコンを変化させているが、操作ノブ３１がＸＹ方向に移動されることによって選択対象アイコンを指示するポインタが移動してもよい。さらに、前記実施形態及び前記各変形例の構成は、適宜組み合わせて実施することができる。
【符号の説明】
【００４４】
１…車両                        ３…車室                  １０…表示装置
１１…表示面                    １２…機能選択領域        １３…変更領域
２３，２４，２５…丸アイコン    ２７…パラメータ          ３０…操作デバイス
３１…操作ノブ                  ３３…決定スイッチ        ５０…車載制御装置
５７…位置検出センサ            ５９…回転角度センサ      ６１…オーディオ機器
６３…エアコン                    ６５…カーナビゲーション装置
【図１】
2015162212.tif 000003
【図２】
2015162212.tif 000004
【図３】
2015162212.tif 000005
【図４】
2015162212.tif 000006
【図５】
2015162212.tif 000007
【図６】
2015162212.tif 000008
【図７】
2015162212.tif 000009